(57)【要約】【課題】本発明は、揺動回転する二つの部材を所望の角度に容易にロックし、ロック解除をし得る角度調整具を提供する。【解決手段】本角度調整具は、円筒部と円錐台形部とに凹凸条を設けた係止体を往復動させることで二つ部材の枢結箇所に設けた凸凹溝に嵌合・離間させることでロック及びロック解除可能とし、これを各部材を単に一軸心方向に重ね合わるだけ達成する。また、本角度調整具におけるロック解除方法は二種類あり、一つのレバー部材の押し込んだ状態ではロックが解除され、引き上げるとロック解除状態をそのまま保持する。【選択図】図２
2019143670.tif 000002
【特許請求の範囲】
【請求項１】
互いに枢結して一軸心周りに揺動する第一部材と第二部材とを所望の揺動角度にロック及びロック解除する角度調整具であって、
前記第一部材と前記第二部材とは互いの枢結位置で一軸心方向に重ねられ、それぞれ枢結位置に互いに覗く一軸心方向の貫通孔を有し、
さらに、一軸心方向に沿って前記第一部材の貫通孔に嵌め込まれて該第一部材と回転方向に固定される第一環状部材と
一軸心方向に沿って前記第二部材の貫通孔に嵌め込まれて該第二部材と回転方向に固定される第二環状部材と、
前記第一環状部材と前記第二環状部材との内部を一軸心方向に沿って往復移動し、前記第一環状部材から前記第二環状部材に向かって順に同径の筒状部と該筒状部から縮径する円錐台形部とで構成される係止体と、を備えており、
該筒状部分及び円錐台形部分の外周にはアキシャル方向に沿った凹凸条が設けられ、前記第一環状部材の内周には前記係止体の筒状部の凹凸条と噛み合うアキシャル方向に沿った第一凸凹溝が設けられ、前記第二環状部材の内周には前記係止体の円錐台形部の凹凸条と噛み合うアキシャル方向に沿って縮径する第二凸凹溝が設けられ、
前記係止体の筒状部の凹凸条は前記係止体の往復動の間、前記第一環状部材の第一凸凹溝に噛み合っており、
前記係止体の円錐台形部は、前記第二環状部分に向かって往移動させるにつれて前記第二環状部材の第二凸凹溝に噛み合うことで前記第一部材と第二部材とをロックし、前記第一環状部分に向かって復移動させるにつれて前記第二環状部材の第二凸凹溝から離間することで前記第一部材と第二部材とのロックを解除して互いに揺動する、ことを特徴とする角度調整具。
【請求項２】
それぞれ一軸心方向に貫通する開口を有し、前記係止体と前記第一環状部材と前記第二環状部材とを一軸心方向両側から挟み込んで収容する前記第一環状部材側の第一ケース部材及び前記第二環状部材側の第二ケース部材と、
軸部が順に前記第二ケース部材の開口、前記第二環状部材、前記係止体及び前記第一ケース部材の開口の内部に通してツバ部を第二ケース部材側に設け、一軸心方向に往復動する鋲部材と、
軸部を引張り及び押し込むことで鋲部材を一軸心方向に往復動させる操作手段をと、
前記第二環状部材と前記ツバ部との間に介挿してツバ部に往移動方向の力を付与する弾性部材と、を備え、
前記係止体の貫通孔は、復移動側に内径の小さい小径部と内径の大きい大径部とで形成され、
前記鋲部材の軸部は、先端部と前記係止体の小径部より大径の根元部とで形成され、該先端部は、ラジアル方向の力により径が拡縮し、前記係止体の貫通孔を通って大径部に突出すると拡大して小径部より径が大きくなり、先端部が突出した状態で前記操作手段により鋲部材を往移動させると拡大した先端が係止体に当接して係止体を往移動させ、前記操作手段により鋲部材を復移動させると大径の根元部が係止体に当接して係止体を復移動させる、ことを特徴とする請求項１に記載の角度調整具。
【請求項３】
前記鋲部材に固定されて先端が前記第一ケース部材より外部に突出する棒状部材を備え、
前記操作手段は、前記棒状部材の先端との枢結点を有し一軸心に対して垂直方向両側に延び、前記第一ケース部材に並列して前記枢結点に対して両端が揺動する一部材であって、該揺動すると枢結点よりオフセットされ枢結点に対して両側に第一ケース部材と接触しながら前記垂直方向に滑る２つの接触点を有し、
前記操作手段の一端は、前記接触点のうち一方よりも前記垂直方向外側に延びる自由端のレバー部材を形成し、該レバー部材を前記第一ケース部材側に揺動させると前記接触点のうち一方を支点として枢軸点を前記第一ケース部材から離間させ、前記レバー部材を前記第一ケース部材から離間するように揺動させると前記接触点のうち他方を支点として枢軸点を前記第一ケース部材から離間させ、所定の限界揺動角度で固定される、とを特徴とする請求項１又は２に記載の角度調整具。
【発明の詳細な説明】
【技術分野】
【０００１】
本発明は、種々の枢結回転する二つの部材の枢結箇所に使用する冶具として、一つの操作部材で、二つの部材を所望の角度に容易にロックし二種類のロック解除をし得る小型かつ高耐久の角度調整具に関する。
【背景技術】
【０００２】
従来、枢結回転する二つの部材の揺動のロック及びロック解除を行う角度調整具では、作用する外力が大きい場合には容積が大きくなること（特許文献１参照）、角度調整操作が複雑で操作性に劣ること、使用可能揺動角度が狭小であること、操作時に騒音を発生すること、等の欠点があった。
【０００３】
また、本発明者が既に提案した浮動くさびを用いる角度調整具(特許文献２参照)ではコンパクトでありながら強度も大きく従来品の問題を大きく改善しているが、この角度調整具においても、いまだ角度調整操作が複雑であること、使用可能揺動角度が狭小であること、操作時に騒音を発生すること等の欠点が、残されていた。
【０００４】
上記問題を解決するために本発明者は、一軸心方向に係止体を往復動させるという簡単かつ小さな力の操作だけでコンパクトで強力な固定力を発生させ、角度調整可能な揺動角度が大きく角度変更時に騒音を生じない角度調整具を提供した（特許文献３）。
【０００５】
しかしながら、特許文献３の角度調整具では部品点数、組立のし易さ、各部材への外力が作用するバランス等、小型化しつつも大量生産の対応し得る改善点が残されていた。また、特許文献３の角度調整具では角度変更時の揺動やロック及びロック解除の操作が煩雑であること等、ユーザの使いやすさに対する改善点も残されていた。
【先行技術文献】
【特許文献】
【０００６】
【特許文献１】実公昭５９−２０１１８号公報
【特許文献２】特許第３７６６６６９号公報
【特許文献３】特許第６２２９１８２号公報
【発明の概要】
【発明が解決しようとする課題】
【０００７】
上記課題を解決すべく本発明は創作されたものであり、上述した係止体を往復動させて二つの部材の角度を任意に調整可能な角度調整具を改良したものであり、簡単な組立工程かつ小さな力で二つの部材の揺動をロックし及び二種類のロック解除をすることができ、さらに力の作用力バランスが良好で耐久性の強い角度調整具を提供することを目的とする。
【課題を解決するための手段】
【０００８】
本発明の角度調整具は、
互いに枢結して一軸心周りに揺動する第一部材(１２１)と第二部材（１２２）とを所望の揺動角度にロック及びロック解除する角度調整具（１２０）であって、
前記第一部材と前記第二部材とは互いの枢結位置で一軸心（Ｌ０）方向に重ねられ、それぞれ枢結位置に互いに覗く一軸心方向の貫通孔（１２１ａ、１２９ａ）を有し、
さらに、一軸心方向に沿って前記第一部材の貫通孔に嵌め込まれて該第一部材と回転方向に固定される第一環状部材（１６９）と
一軸心方向に沿って前記第二部材の貫通孔に嵌め込まれて該第二部材と回転方向に固定される第二環状部材（１２８）と、
前記第一環状部材と前記第二環状部材との内部を一軸心方向に沿って往復移動し、前記第一環状部材から前記第二環状部材に向かって順に同径の筒状部（１８２）と該筒状部から縮径する円錐台形部（１８１）とで構成される係止体（１７５）と、を備えており、
該筒状部分及び円錐台形部分の外周にはアキシャル方向に沿った凹凸条（１７１，１７２）が設けられ、前記第一環状部材の内周には前記係止体の筒状部の凹凸条（１７２）と噛み合うアキシャル方向に沿った第一凸凹溝（１９１）が設けられ、前記第二環状部材の内周には前記係止体の円錐台形部の凹凸条（１７２）と噛み合うアキシャル方向に沿って縮径する第二凸凹溝（１２８ｂ）が設けられ、
前記係止体の筒状部の凹凸条は前記係止体の往復動の間、前記第一環状部材の第一凸凹溝に噛み合っており、
前記係止体の円錐台形部は、前記第二環状部分に向かって往移動させるにつれて前記第二環状部材の第二凸凹溝に噛み合うことで前記第一部材と第二部材とをロックし、前記第一環状部分に向かって復移動させるにつれて前記第二環状部材の第二凸凹溝から離間することで前記第一部材と第二部材とのロックを解除して互いに揺動する。
【０００９】
本発明によれば、係止体、第一環状部材、第一部材、第二部材、第二環状部材という少ない部品を重ね合わせるという簡単な組立工程により係止体を用いて第一部材と第二部材とを任意角度に揺動及びロックすることができる。特に本角度調整具では、係止体の筒状部及び円錐台形部それぞれの凹凸条を噛合わせる凸凹溝をそれぞれの第一環状部材と第二環状部材とに別けて設け、第一環状部材と第二環状部材とを別部材の第一部材と第二部材とに固定しているために、係止体の噛み合い・離間時に作用する外力を第一部材と第二部材とにバランスよく分散し得るため耐久性を強くすることができる。
【００１０】
また、本角度調整具は、それぞれ一軸心方向に貫通する開口を有し、前記係止体と前記第一環状部材と前記第二環状部材とを一軸心方向両側から挟み込んで収容する前記第一環状部材側の第一ケース部材（１３３）及び前記第二環状部材側の第二ケース部材（１３４）と、
軸部（１５３）が順に前記第二ケース部材の開口（１３４ａ）、前記第二環状部材、前記係止体及び前記第一ケース部材の開口（１３３ａ）の内部に通してツバ部（１５２）を第二ケース部材側に設け、一軸心方向に往復動する鋲部材（１５１）と、
軸部を引張り及び押し込むことで鋲部材を一軸心方向に往復動させる操作手段（１９２）をと、
前記第二環状部材と前記ツバ部との間に介挿してツバ部に往移動方向の力を付与する弾性部材（１１７）と、を備え、
前記係止体の貫通孔は、復移動側に内径の小さい小径部（１７６ａ）と内径の大きい大径部（１７６ｂ）とで形成され、
前記鋲部材の軸部は、先端部（１５３ａ）と前記係止体の小径部より大径の根元部（１５３ｂ）とで形成され、該先端部は、ラジアル方向の力により径が拡縮し、前記係止体の小径部（１７６ａ）を通って大径部（１７６ｂ）に突出すると拡大して小径部より径が大きくなり、先端部が突出した状態で前記操作手段により鋲部材を往移動させると拡大した先端部が係止体に当接して係止体を往移動させ、前記操作手段により鋲部材を復移動させると大径の根元部が係止体に当接して係止体を復移動させる、ことが好ましい。
【００１１】
本角度調整具の構成によれば、一部材の鋲部材を係止体の貫通孔に挿入した状態で一軸心方向に復往動させることでこれに追従させて係止体を往復動させることができる。したがって、ロック及びロック解除をすべて一軸心方向の力を作用させるだけで達成でき、組立工程が簡単で係止体を操作する作用力を小さくすることができる。したがって、作用部材となる鋲部材に強度の弱い樹脂等の素材を採用することもでき、その軸部を径方向に拡大・縮減し得る柔らかい材質を採用しても良い。その結果、先端を拡縮可能にし、根元を大径とすると一部材だけで係止体の往復動を操作することができ、本角度調整具の部品点数を少なくすることができる。
【００１２】
また、本角度調整具は、前記鋲部材に固定されて先端が前記第一ケース部材より外部に突出する棒状部材（１１８）を備え、
前記操作手段は、前記棒状部材の先端との枢結点（１９２ｂ）を有し一軸心に対して垂直方向両側に延び、前記第一ケース部材に並列して前記枢結点に対して両端が揺動する一部材であって、該揺動すると枢結点よりオフセットされ枢結点に対して両側に第一ケース部材と接触する２つの接触点（１９２ｃ、１９２ｄ）を有し、
前記操作手段の一端は、前記接触点のうち一方よりも前記垂直方向外側に延びる自由端のレバー部材（１９２ａ）を形成し、該レバー部材を前記第一ケース部材側に揺動させると前記接触点のうち一方（１９２ｃ）を支点として枢結点を前記第一ケース部材から離間させ、前記レバー部材を前記第一ケース部材から離間するように揺動させると前記接触点のうち他方（１９２ｄ）を支点として枢軸点を前記第一ケース部材から離間させ、所定の限界揺動角度で固定される、ことが好ましい。
【００１３】
本角度調整具の操作手段によれば、一つの部材を揺動させるだけで二種類操作のロック及びロックの解除を行うことができ、ユーザの使用性が大幅に向上する。まず第一の操作では、ユーザが操作部材のレバー部材を第一ケース部材側に倒しながら（押し込みながら）ロック状態を解除し角度調整しながら所望の角度になるとレバー部材を離すだけでロックをすることができる。この操作の場合、第二部材（又は第一部材）を把持したままでその親指等を使ってレバー部材を押し込み・親指等を解放するだけで親指等の位置が力点、一方の接触点が支点、枢結点が作用点の順番の「てこ」となり、枢結点が持ち上げ及び押し込まれて係止体を復往移動してロック解除及びロックを行うことができる。従って、従来品に比べて操作性が向上している。
【００１４】
さらに、第二の操作では、レバー部材を第一ケース部材から持ち上げるとロックを解除し、レバー部材を持ち上げる限界点でレバー部材が固定され手を離してもロック解除状態を保持することができる。詳細には、レバー部材を持ち上げるときには手の位置が力点、他方の枢結点が作用点、他方の接触点が力点の順番の「てこ」となり、枢結点及び係止体を復往移動させロック解除状態の保持及びロックすることができる。この操作では、レバー部材から手を離した後もレバー部材を持ちあげた状態を維持できるためロック解除の自己保持を行うことができ、角度調整時に両手ともに第一部材及び第二部材を把持することができ、操作性が大幅に向上する。
【００１５】
なお、レバー部材を持ち上げる限界点での固定はレバー部材の端部を第一ケース部材面に当接させレバー部材を起立させることでなされる場合も考えられる。
【発明の効果】
【００１６】
本発明に係る角度調整具によれば、係止体を往復動させて二つの部材の角度を任意に調整可能な角度調整具をさらに小型し、少ない部品点数でありながら単に一軸心方向に重ね合わせるだけという簡単に工程で組み立てることができる。また、本角度調整具は、ロック時に作用する力がバランス良く分散される構成が提供される。
【００１７】
さらに、本角度調整具は一つのレバー部材を押し込んで角度調整部材（第一部材又は第二部材）を把持した状態で角度調整し所望の角度で押し込みをやめるとロックに戻す態様と、レバー部材を引き上げることでロック解除状態に固定し、その状態で角度調整を行い所望角度でレバー部材の引き上げを解除しロックに戻す態様との２種類の角度調整方法を選択することができる。
【図面の簡単な説明】
【００１８】
【図１】本発明の角度調整具の一例の斜視図が示されている。
【図２】図１の角度調整具の分解斜視図が示されている。
【図３】図１のラインＡ−Ａに沿った断面図を示しており、（ａ）はロックされた状態、（ｂ）は角度調整できるようロックが解除された状態、（ｃ）は角度調整できるようロックが解除されロック解除を自己保持できる状態を示している。
【発明を実施するための形態】
【００１９】
以下、本発明の角度調整具１２０について図１〜図３を参照しつつ説明する。
図１には、本角度調整具１２０の斜視図が示されている。本角度調整具１２０はユーザが２部材を任意角度でロックし、ロック解除して他の任意角度に調節しロックすることを所望する関節箇所に使用する冶具として用いられるものであり、例えばイス等の家具のアームや角度調節自在な照明スタンド等の日用品のみならず工場内の部品ラックの骨組みの結合部分等、多種の関節の結合部分に活用されるものである。
【００２０】
また、図２には図１の本角度調整具１２０の分解斜視図が示されている。さらに図３は図１のラインＡ−Ａに沿った断面図を示しており、（ａ）はロックされた状態、（ｂ）は角度調整できるようロックが解除された状態、（ｃ）は角度調整できるようロックが解除されロック解除を自己保持できる状態を示している。なお、本明細書で「往復動」とは一軸心Ｌ０方向の移動、「往移動」は図２の左斜め上から右斜め下方向、図３の左方から右方、「復移動」は図２の右斜め下から左斜め上方向、図３の右方から左方を意味する。
【００２１】
図１〜図３に示されているとおり、角度調整具１２０は、次の各部から構成されている。係止体１７５は、往移動方向に径が縮減しアキシャル方向に沿った凹凸条１７１を有する円錐台形部１８１と、径が略同一でアキシャル方向に沿ったストレート状の凹凸条１７２を有する円筒部１８２とを、有する。また、係止体１７５は、一軸心L０方向の貫通孔１７６を有している。
【００２２】
また、第一部材１２１と第二部材１２２とは、それぞれ本角度調整具１２０で角度調節を所望する二部材に連結する部材であり、代表的には板状のアーム部材で形成される。なお、第一部材１２１は、後述する各部材の一軸心Ｌ０方向の重ね合わせ箇所が薄肉であれば角度調整を所望する部材に対応する他の形状でも良い。また、第二部材１２２は、主部材１２９と補助部材１５０と板状部材１２４とで構成される。板状部材１２４は、その上端を一軸心Ｌo方向（厚み方向）右側の主部材１２９と左側の補助部材１５０との下方で挟んで重ねられており、主部材１２９、板状部材１２４及び補助部材１５０それぞれを互いに覗く位置に貫通孔１２９ｃ、１２４ａ、１５０ｂをリベット１１９で結合している。詳細には後述するが、このとき第一部材１２１と補助部材１５０との間に第一環状部材１６９が介挿される。
【００２３】
また、第二部材の主部材１２９は、その貫通孔１２９ａの内周壁に溝部１２９ｂが設けられ、この溝部１２９ｂが第二環状部材１２８の外周に設けられた溝部１２８ａと噛み合って回転方向に固定される。なお、第二環状部材１２８の右端はツバ部１２８ｃになっており、このツバ部１２８ｃが主部材１２９の右側に当接することで一軸心Ｌ０方向復移動に対するストッパの役割を有する。また、第二環状部材１２８は一軸心Ｌ０に沿った貫通孔１６７が設けられ、その内壁に係止体１７５の円錐台形部１８１の凹凸条１７１と噛み合う軸方向にストレート状の第二凸凹溝１２８ｂが形成されている。
【００２４】
また、第一部材１２１はその貫通孔１２１ａの内周壁に第二凸凹溝１２１ｂが設けられる。また、第一環状部材１６９は左側から外周に溝を有する溝部１６９ｂと外周が滑面である筒状部１６９ａとで一体に形成されている。第一環状部材１６９の溝部１６９ｂと第一部材１２１の貫通孔１２１ａの内周壁の溝部１２１ｂとが噛み合って第一環状部材１６９と第一部材１２１とが回転方向に固定される。
【００２５】
また、第一環状部材１６９は、貫通孔１６６を有し、その内周壁には係止体１７５の円筒部１８２の凹凸条１７２と噛み合う軸方向にストレート状の第一凸凹溝１９１が形成されている。第一環状部材１６９と第二環状部材１６７とは互いに対抗して当接し、それぞれの第一凸凹溝１９１と第二凸凹溝１２８ｂとは連続して係止体１７５の往復動に従って係止体１７５の凹凸条１８２，凹凸条１８１と噛み合い又は離間する。また、第一環状部材１６９の左側からは、補助部材１５０の貫通孔１５０ａが筒状部１６９ａの外周が嵌め込まれ、両者は滑面で接するため第一環状部材１６９と補助部材１５０とは互いに一軸心Ｌ０周りに回転する。
【００２６】
また、上述したように一軸心Ｌ０方向に重ねて組み合わされた補助部材１５０、係止体１７５、第一環状部材１６９、第一部材１２１、第二部材１２９、第二環状部材１２８の外側から第一ケース部材１３３、第二ケース部材１３４で挟み込んで互いに結合し、一体のケース部材を形成する。
【００２７】
鋲部材１５２は、復移動側から軸部１５３と大径円盤上のツバ部１５２とで構成されている。第二ケース部材１３４には一軸心Ｌ０方向に貫通する開口１３４ａが設けられ、この開口１３４ａを通して第二環状部材１２８の貫通孔１６７に挿入される。このとき第二環状部材１２８の座グリ部１２８ｄとツバ部１５２との間にバネ１１７が介挿されて鋲部材１５１の往移動側に弾性力が作用する。なお、ツバ部１５４は第二ケース部材１３４の開口１３４ａから突出しない方が好ましい。
【００２８】
鋲部材１５１には一軸心Ｌ０方向に亘る貫通孔１５４を有し、この貫通孔１５４内に棒状部材１１８が挿入・固定されて棒状部材１１８の往復動に鋲部材１５１を追従させる。鋲部材１５１に挿入・固定された棒状部材１１８の復移動側の先端は、第一ケース部材１３３の開口１３３ａを通過して外側に突出する。棒状部材１１８の先端には横方向のピン孔１１８ａが設けられる。
【００２９】
第一ケース部材１３３の外側には、一軸心Ｌ０に対して垂直方向（上下方向）に延びる操作手段１９２が配設され、棒状部材１１８のピン孔１１８ａと覗く位置にピン孔１９２ｂを設けられる。ピン孔１１８ａ及びピン孔１９２ａにはピン１９３が挿入され、ピン孔１１８ａ及びピン孔１９２ａの位置を枢結点として操作手段１９２が回転する。操作手段１９２は枢結点１９２ａより下方側が上方側より延びてユーザが操作し得るレバー部材１９２ａを有している。
【００３０】
次に図３の断面図を参照して本角度調整具１２０におけるロック及びロック解除を説明する。
【００３１】
図３（ａ）は、第一部材１２１と第二部材１２４とがロックされた状態を示しており、係止体１７５は往移動側に進行して第一環状部材１６９と第二環状部材１２８とに噛み合って両者１６９，１２８にロックされている。また、鋲部材１５１は、上述したように軸部１５３を係止体１７５の貫通孔１７６に内接しながら挿入される。係止体１７５の貫通孔１７６は復動側に向かって順に内径が小さい小径部１７６ａと途中で階段的に径が拡大する大径部１７６ｂを有しており、軸部１５３の先端部１５３ａが小径部１７６ａを通って大径部１７６ｂ内に突出すると拡径し、拡径した先端部１５３ａが大径部１７６ａの左方入口がストッパとなってその往移動を規制する。したがって、係止体１７５、鋲部材１５１及び棒状部材１１８は、互いに一体となって往移動を追従する。
【００３２】
また、鋲部材１５１の（軸部１５３の）根元部１５３ｂは、先端部１５３ａ及び係止体１７５の小径部１７６ａよりも大径の略円筒部であり、係止体１７５の小径部１７６ａの右方入口が鋲部材１５１が復移動するときのストッパとして機能する。したがって、係止体１７５、鋲部材１５１及び棒状部材１１８は、互いに一体となって復移動を追従する。
【００３３】
図３（ｂ）は、第一の操作で第一部材１２１と第二部材１２２の板状部材１２４とのロックが解除された状態を示しており、ユーザが板状部材１２４を把持した状態でその手の親指等で操作手段１９２のレバー部材１９２ａを第一ケース部材１３３側に倒し（押し込み）、これにより係止体１７５が復移動側に進行して第一環状部材１６９と第二環状部材１２８とを離間して両者１６９，１２８のロックを解除している。
【００３４】
レバー部材１９２ａの第一ケース部材１３３側は、枢結点１９２ｂより第一ケース部材１３３側にオフセットし下方の位置で外側に曲がって厚みが薄くなり、変曲点１９２ｃが第一ケース部材１３３の表面に接触する第一接触点１９２ｃとなる。レバー部材１９２ａを押し込み押し込んだ状態を維持すると、第一接触点１９２ｃが第一ケース部材１３３に接触し、レバー部材１９２ａが力点、第一接触点１９２ｃが支点、枢結点１９２ｂが作用点となる「てこ」を形成し、枢結点１９２ｂを持ち上げ、棒状部材１１８、鋲部材１５１を介して係止体１７５を復移動させる。その結果、ロックを解除する。
【００３５】
図３（ｃ）は、第二の操作として第一部材１２１と第二部材１２２の板状部材１２４とのロックを解除し、外力なくてもロックの解除状態を保持し得る様子を示しており、ユーザが操作手段１９２のレバー部材１９２ａを第一ケース部材１３３から離間するように持ち上げ、これにより係止体１７５を往移動側に進行させて第一環状部材１６９と第二環状部材１２８とのロックを解除する。
【００３６】
操作手段１９２のレバー部材１９２ａと反対側（上側）の端部１９２ｄも枢結点１９２ｂより第一ケース部材１３３側にオフセットしているが枢結点１９２ｂまでの距離は小さい。また、端部１９２ｄは略直角に曲がっており、端面１９２ｅを形成する。レバー部材１９２を持ち上げると端部１９２ｄが第一ケース部材１３３と接触する第二接触点１９２ｄとなり、レバー部材１９２ａが力点、枢結点１９２ｂが作用点、第二接触点１９２ｄが支点となる「てこ」を形成する。このとき支点となる第二接触点１９２ｄは、枢結点１９２ｂ側（下側）に第一ケース部材１３３上を滑り、回転するにつれて枢結点１９２ｂから第二接触点１９２ｄまでの回転半径を第一ケース部材１３３までの距離が受け止められなくなり、レバー部材１９２の揺動の限界点となる。限界点に到達すると第二ケース部材１３３と第二接触点１９２ｄとの摩擦力により操作手段１９２は固定される（図３（ｃ）参照）。その結果、棒状部材１１８、鋲部材１５１を介して係止体１７５を復移動させたロック解除状態をそのまま保持することとなる。
【００３７】
以上、本発明の角度調整具についての実施形態について説明してきたが、本発明はこれに限定されるものではなく特許請求の範囲および明細書等に記載の精神や教示を逸脱しない範囲で他の変形例、改良例が得られることが当業者は理解できるであろう。
【符号の説明】
【００３８】
１１７  弾性手段（バネ）
１１８  棒状部材
１１８ａ  ピン孔
１１９  リベット
１２０  角度調整具
１２１  第一部材
１２１ａ  貫通孔
１２１ｂ  凸凹溝
１２２  第二部材
１２４  板状部材
１２４ａ  貫通孔
１２８  第二環状部材
１２８ａ  溝部
１２８ｂ  第二凸凹溝
１２８ｃ  ツバ部
１２８ｄ  座グリ部
１２９  主部材
１２９ａ  貫通孔
１２９ｂ  溝部
１２９ｃ  貫通孔
１３３  第一ケース部材
１１３３ａ  開口
１３４  第二ケース部材
１３４ａ  開口
１５０  補助部材材
１５０ａ  貫通孔
１５０ｂ  貫通孔
１５１  鋲部材
１５２  ツバ部
１５３  軸部
１５３ａ  先端部
１５３ｂ  根元部
１５４  貫通孔
１６６  貫通孔
１６７  貫通孔
１６９  第一環状部材
１６９a  筒状部
１６９ｂ  溝部
１７１  凹凸条
１７２  凹凸条
１７５  係止体
１７６  貫通孔
１７６ａ  小径部
１７６ｂ  大径部
１８１  円錐台形部
１８２  円筒部
１９１  第一凸凹溝
１９２  操作手段
１９２ａ  レバー部材
１９２ｂ  ピン孔（枢結点）
１９２ｃ  接触点（第一接触点）
１９２ｄ  接触点（第二接触点）、端部
１９２ｅ  端面  
１９３  ピン
Ｌ０  一軸心
【図１】
2019143670.tif 000003
【図２】
2019143670.tif 000004
【図３】
2019143670.tif 000005